(57)【要約】  電力線通信（ＰＬＣ）ネットワークにおけるプライバシー保護のための方法及び装置。ＰＬＣネットワーク上で伝送されるデータはネットワーク鍵に従って暗号化され、適正な復号を行うことができるように適正なネットワークＩＤ及びネットワーク鍵の値を有する登録済み装置だけしかそのデータを受信することができない。本発明によれば、ストリーミングメディア装置には、その装置（申込者）を他の装置（管理者）と関連付けられた直接電力線接続に接続することにより容易になる登録処理中に、互換性のあるネットワークＩＤ及びネットワーク鍵が提供される。ネットワーク鍵と、任意にネットワークＩＤが、ＰＬＣネットワークを介して自由に配信されることなく、直接接続を介して共有される。一例として、ＰＬＣデータの選択可能フィルタリングと、好ましくは公開・秘密鍵符号化のような安全なデータ通信メカニズムとを使用するのに応じて、データがＰＬＣネットワーク全体に配信されるのが防止される。
2008511215.tif 000002
【特許請求の範囲】
【請求項１】
電力線通信ネットワークを介してストリーミングメディアを通信する通信システムにおいて、
動作電力が供給される電力線に接続された第１のストリーミングメディア装置と、
上記第１のストリーミングメディア装置内に設けられ、該第１のストリーミングメディア装置と、上記電力線に接続された少なくとも１つの第２のストリーミングメディア装置との間で、上記電力線通信ネットワークとして動作する該電力線を介してデータを通信する電力線通信回路と、
上記電力線通信回路内に設けられ、ネットワーク鍵の値に応じてデータを暗号化又は復号するスクランブル回路と、
上記電力線通信ネットワークを介して上記ネットワーク鍵の値を通信することなく、上記第１のストリーミングメディア装置と上記第２のストリーミングメディア装置間の物理的接続の確立に応じて、上記複数のストリーミングメディア装置間で共通ネットワーク鍵の値を共有及び保存する手段とを備える通信システム。
【請求項２】
上記第１及び第２のストリーミングメディア装置は、ビデオストリーム、オーディオストリーム又はオーディオ／ビデオストリームの組合せ用に構成されたソース装置、プレーヤ、レコーダ、カメラ及びサーバからなるグループから選択されることを特徴とする請求項１に記載の通信システム。
【請求項３】
上記第１のストリーミングメディア装置は、上記ネットワーク鍵の値を上記第２のストリーミングメディア装置に供給する管理者モード、又は上記電力線通信ネットワークを介して通信されてくるストリーミングメディアを暗号化又は復号する際に使用する該ネットワーク鍵の値を該第２のストリーミングメディア装置から受信して保存する申込者モードで動作することを特徴とする請求項１に記載の通信システム。
【請求項４】
上記管理者モードで動作する第１のストリーミングメディア装置は、上記ネットワーク鍵のデフォルト値を読み出し、該デフォルト値を上記第２のストリーミングメディア装置に供給することを特徴とする請求項３に記載の通信システム。
【請求項５】
上記第１のストリーミングメディア装置と上記第２のストリーミングメディア装置は、上記ネットワーク鍵の値を共有及び保存するために、共通ネットワーク鍵の値を共有していないことを検出する検出手段を更に備える請求項１に記載の通信システム。
【請求項６】
上記検出手段は、受信したネットワーク鍵の値が有効であり、メモリに保存されているネットワーク鍵の値と一致するかを判定する比較回路を備えることを特徴とする請求項５に記載の通信システム。
【請求項７】
上記共有ネットワーク鍵の値を共有及び保存する手段は、上記第１のストリーミングメディア装置と上記第２のストリーミングメディア装置間でネットワーク識別子を共有することを特徴とする請求項１に記載の通信システム。
【請求項８】
上記共有ネットワーク鍵の値を共有及び保存する手段は、
直接電力線接続を確立する鍵共有回路と、
上記直接電力線接続を介して共有されるネットワーク鍵の値を保存するメモリと、
上記電力線通信ネットワーク上の上記直接電力線接続を越えて電力線通信データが通信されないように、該電力線通信データをフィルタリングする選択的電力線通信データフィルタとを備え、
上記ネットワーク鍵は、上記電力線通信ネットワークを介して配信されることなく、上記直接電力線接続を介して共有され、
上記直接電力線接続は、上記ネットワーク鍵が共有された後に、切断することができることを特徴とする請求項１に記載の通信システム。
【請求項９】
上記選択的電力線通信データフィルタは、上記直接電力線接続と上記電力線通信ネットワークへの接続との間の経路に選択的に挿入可能なローパスフィルタであることを特徴とする請求項８に記載の通信システム。
【請求項１０】
上記直接電力線接続は、上記少なくとも１つの第２のストリーミングメディア装置に接続された上記第１のストリーミングメディア装置の電源コンセント、又は上記第１のストリーミングメディア装置に接続された上記第２のストリーミングメディア装置の１つの電源コンセントからなり、
上記電源コンセントは、上記電力線から動作電力を供給される電源プラグ接続に接続され、
上記選択的電力線通信フィルタリングは、上記電源コンセントと上記電源プラグ接続との間に選択的に接続されることを特徴とする請求項８に記載の通信システム。
【請求項１１】
上記ネットワーク鍵の値が、上記第１のストリーミングメディア装置と上記第２のストリーミングメディア装置との間で共有されていることを示す手段を更に備える請求項１に記載の通信システム。
【請求項１２】
上記共有されていることを示す手段は、光インジケータからなることを特徴とする請求項１１に記載の通信システム。
【請求項１３】
電力線通信ネットワークを介して通信する通信装置において、
電力線通信ネットワークを介して、少なくとも１つの第２のストリーミングメディア装置とデータを通信する第１のストリーミングメディア装置と、
上記第１のストリーミングメディア装置上のマイクロプロセッサとを備え、
上記マイクロプロセッサは、
上記第１のストリーミングメディア装置と上記第２のストリーミングメディア装置とが、該第１のストリーミングメディア装置又は該第２のストリーミングメディア装置内のそれぞれの電源ソケットを介して何時相互に接続されるのかを判定し、
上記それぞれの電源ソケットと関連する電力線通信データフィルタを、登録手続中に起動し、該それぞれの電源ソケットを介して通信されるデータが上記電力線通信ネットワーク上のそれぞれの電源ソケット接続を越えて配信されることを防止し、
上記第１のストリーミングメディア装置と上記第２のストリーミングメディア装置とが互換ネットワーク鍵によって構成されるように、上記電力線通信ネットワーク上のデータの暗号化及び復号を制御するネットワーク鍵を送信及び保存し、
上記ネットワーク鍵を受信した後に、上記電力線通信データフィルタを停止し、
上記それぞれの電源ソケット接続を、その後の任意の時刻に、上記電力線通信ネットワーク接続に置き換えることを特徴とする通信装置。
【請求項１４】
電力線通信ネットワーク上の複数のストリーミングメディア装置間で通信されるストリーミングメディアの暗号化及び復号において用いられるネットワーク鍵を共有するネットワーク鍵共有方法において、
第１のストリーミングメディア装置と第２のストリーミングメディア装置との間に直接電源接続を確立するステップと、
上記第１のストリーミングメディア装置が上記直接電源接続に接続されていることを検出するステップと、
上記第２のストリーミングメディア装置が上記第１のストリーミングメディア装置と互換性があるネットワーク鍵をまだ用いていないことを判定するステップと、
電力線通信データが上記直接電力線を越えて上記電力線通信ネットワークに通信されることを阻止するステップと、
上記ネットワーク鍵を上記第１のストリーミングメディア装置から上記第２のストリーミングメディア装置に送信し、上記電力線通信ネットワークを介する通信において該第２のストリーミングメディア装置によって用いられていた前の値を更新するステップとを有し、
上記直接電力線接続は切断され、上記第１のストリーミングメディア装置は、上記電力線通信ネットワーク内に接続されている上記第２のストリーミングメディア装置に接続されることを特徴とするネットワーク鍵共有方法。
【請求項１５】
上記第１のストリーミングメディア装置は、上記ネットワーク鍵が上記第２のストリーミングメディア装置と共有されていないときは、デフォルトのネットワーク鍵の値を有することを特徴とする請求項１４に記載のネットワーク鍵共有方法。
【請求項１６】
上記直接電源接続は、上記第１のストリーミングメディア装置の電源コンセントからなり、該電源コンセントには少なくとも１つの他のストリーミングメディア装置からの電源コードが接続されることを特徴とする請求項１４に記載のネットワーク鍵共有方法。
【請求項１７】
上記第１のストリーミングメディア装置が直接電源接続に接続されていることを検出するステップは、該直接電力線接続を介して電力が供給され、又は該直接電力線接続を介して電力線通信データが受信されたことを検出することに応じて、実行されることを特徴とする請求項１４に記載のネットワーク鍵共有方法。
【請求項１８】
上記電力線通信データを阻止するステップは、上記電力線通信データコンテンツをフィルタリングすることによって実行されることを特徴とする請求項１４に記載のネットワーク鍵共有方法。
【請求項１９】
上記ネットワーク鍵の値を更新するステップは、データを通信する公開／秘密鍵メカニズムを用いることを特徴とする請求項１４に記載のネットワーク鍵共有方法。
【請求項２０】
上記電力線通信データを上記直接電力線接続を越えて上記電力線通信ネットワークに通信するステップを更に有する請求項１４に記載のネットワーク鍵共有方法。
【発明の詳細な説明】
【関連出願】
【０００１】
本願は、その内容がこの引用によりここに含まれる出願日２００４年８月２０日の米国仮特許出願第６０／６０３，４８３号、その内容がこの引用によりここに含まれる出願日２００４年１２月１６日の米国仮特許出願第６０／６３７，０４９号、及びその内容がこの引用によりここに含まれる出願日２００５年１月２８日の米国非仮特許出願第１の１／０４５，７３４号の優先権をクレームするものである。
【著作権に関する表示】
【０００２】
本特許書類の一部は、米国又は他の国々の著作権法による著作権保護の対象となる。著作権所有者は、米国特許・商標局の公開ファイル又は記録に含まれているような特許文書又は特許開示の何人による複写に対しても異議を唱えることはないが、それ以外の場合にはいかなるものであれ著作権を留保する。著作権所有者は、３７ C.F.R §１．１４によるその権利を無制限に含む、本特許書類の秘密維持を求める権利をこれにより放棄するものではない。
【技術分野】
【０００３】
本発明は、一般的には、電力線通信（以下、ＰＬＣという。）に関し、詳細には、ＰＬＣネットワークを介するストリーミングメディア間での通信の暗号化及び復号のための互換性ネットワーク鍵を定める装置及び方法に関する。
【背景技術】
【０００４】
既成のＰＬＣ回路の可用性の増大に伴う電力線通信（ＰＬＣ）システムの利便性により、多数の消費者・ビジネス市場分野において急速な進展が見られつつある。ＰＬＣは、従来のＡＣ電源接続を介して消費者電子装置がネットワーク化されるネットワーク技術である。最近の利用可能帯域幅の拡大により、ＰＬＣの用途がストリーミングメディア（すなわち、オーディオ及びビデオ）ネットワーキング領域に拡大している。
【０００５】
図１はストリーミングメディアＰＬＣの基本構成１０を示したものである。サーバ１２が、ＰＬＣネットワークの電力線１８を介してクライアント１４、１６に接続された状態で示されている。ＰＬＣネットワークサーバアプリケーションを実行するのに適合したパーソナルコンピュータ２０のようなサーバ１２がストリーミングメディアコンテンツを保存し、様々な放送、有線、衛星又はメディアベースの番組を受信し、電力線１８を介してメディアストリームを伝送する。クライアント１４、１６は、ＰＬＣネットワークを介してオーディオ及び／又はビデオコンテンツを受信又は伝送するように構成された任意の装置からなることができるが、ただし、ラインイン、ラインアウト接続等のような他の手段によりコンテンツを伝送することもできる。クライアント１４、１６はビデオモニタ又はテレビジョン受信機２２、２４として示されているが、しかしながら、クライアントは、ビデオ／オーディオ再生又は記録装置、カメラ、オーディオ記録装置、オーディオシステム、ビデオモニタ、テレビジョン受信機、制御パネル、モニタ装置、警報制御装置等からなることもできる。
【０００６】
ＰＬＣネットワークの１つの大きな効果は、装置が動作電力を得る共通のＡＣ電力線を介して既に決されているので、サーバ１２とクライアント１４、１６との間に他のネットワーク接続を確立する必要がないことにある。したがって、ＰＬＣネットワーク接続可能性は、電源プラグ２６の電源アウトレット２８への簡単な接続に応じて全ての装置がネットワークに加わることができる柔軟な配置である。２又電源プラグ２６が簡略化のために図示されているが、例えば、特定の地域で要求される可能性のある任意の所望の２線、３線又は４線電源接続、又は任意のタイプの配電配置の使用のような、任意の所望の電源プラグ構成を支援することができる。しかしながら、上記の多数の効果があるにもかかわらず、ＰＬＣネットワークには安全の問題がある。
【０００７】
図２は、電力線３２が第１のサイト３４（例えば、家庭、オフィス、ビジネス、産業等）と第２のサイト３６との間で共有される共通のＰＬＣネットワークシナリオ３０を示したものである。この場合、サーバ３８、４２及びクライアント４０、４４として例示されたＰＬＣベース装置をそれぞれが有する２軒の類似の家庭３４、３６が示されている。住居設定において、５軒以上の家庭が１つの変圧器から延びる電力線を共有することもできる。したがって、ある家庭のＰＬＣネットワークを介して伝送されるデータは他の家庭のＰＬＣネットワークにより捕捉される可能性があり、この点で安全が問題になるのである。
【０００８】
この安全の問題を克服する試みにおいては、ＰＬＣネットワークを介して特定のエンティティに共有されているコンテンツを暗号化された（スクランブルをかけた）形で伝送し、受信後に復号する（スクランブルを外す）のが好ましい。伝送を復号するためには、実施された暗号化に適合するように復号作業を調整するために復号ルーチン（又は回路）により用いられる復号鍵を装置が備えていることが必要である。相互に通信を行うために、ＰＬＣネットワークを使用する全ての装置は同じネットワーク鍵を共有しなければならない。
【０００９】
コンテンツの暗号化／復号により安全は確保されるが、復号鍵の提供と共有に手間がかかることが多い。暗号化／復号ネットワーク鍵を定める１つの方法が、ユーザが手動でネットワーク鍵の値を装置に入力する方法である。しかしながら、鍵は長い一連の数字になることがあり、入力が困難であり、一方、必ずしも全ての装置が鍵入力の簡単な鍵パッド又は十分に便利なユーザインタフェースにより構成されているわけではない。それに加えて、復号鍵の手動入力により、ＰＬＣネットワーク通信の利用に他のレベルの複雑さが加わることになる。安全鍵はＰＬＣネットワーク自体を介して共有することができるが、これにより他のエンティティの外部装置が鍵を捕捉することが可能になり、安全を危険に陥れることになる。手動入力安全鍵の使用によるユーザのフラストレーションが高まることは間違いなく、一方、メーカーはネットワーク鍵の不適切な入力又は使用が原因の大量の問い合わせ電話を受けることになる。それに加えて、プライバシー保護の強化のために安全鍵を定期的に更新する際に生じる問題も考えておかなければならない。
【００１０】
したがって、エンティティがＰＬＣネットワークの自らの部分において他のストリーミングメディア装置とネットワーク鍵を共有するという問題を克服しつつ電力線通信（ＰＬＣ）ネットワークを確保するシステムと方法が必要になるのである。これらの必要性等は、これまでに開発された共通ネットワーク鍵の維持方法の欠点を克服した本発明により満たされることになる。
【発明の開示】
【課題を解決するための手段】
【００１１】
本発明は、電力線通信（ＰＬＣ）ネットワークを介して複数のストリーミングメディア装置間で安全な通信を確立する装置と方法を提供する。ストリーミングメディア装置により共有される共通ネットワーク鍵（ＮＫ）値に応じて、ＰＬＣネットワークを介する通信は暗号化又は復号されるか、又は他の方法でスクランブルをかけられる。本発明は、ＰＬＣネットワーク自体を介して共通ネットワーク鍵を送らずに共通ネットワーク鍵を１つのストリーミングメディア装置から他のストリーミングメディア装置へ送ること、又は鍵の手動入力を要求することができる。ネットワークの各セクション（すなわち、エンティティごとに）が、ネットワーク鍵（ＮＫ）値とともに伝送することもできるネットワークＩＤ（ＮＩＤ）値により識別されることが好ましい。
【００１２】
限定ではなく、一例として、ネットワーク鍵は管理者装置から申込者装置に共有される。一実施の形態においては、管理者として動作する装置は、互換ネットワーク鍵を得るために申込者モードで動作する他のストリーミングメディア装置の電源コードの接続のために、少なくとも１つのソケット（すなわち、２又は３線ＡＣソケット）を提供する。管理者のソケットへの申込者の接続は、本発明によれば、申込者と管理者との間の直接・専用接続を確立するように構成されている。申込者の存在を検出した後に、回路は申込者が管理者と互換ネットワーク鍵を有しているかを判定する。そうではない場合は、管理者は、例えばＰＬＣデータフィルタを起動することにより、申込者との安全な接続を確立し、申込者が保存及び使用するための適正なネットワーク鍵を提供する。本発明によれば、ネットワーク鍵（ＮＫ）値とともに、ネットワークＩＤ（ＮＩＤ）値のような追加情報を任意に提供できる。
【００１３】
本発明の一実施の形態において、通信システムは、動作電力が供給される電力線に接続された第１のストリーミングメディア装置と、第１のストリーミングメディア内において、該第１のストリーミングメディア装置と電力線に接続された少なくとも１つの第２のストリーミングメディアとの間で、ＰＬＣネットワークとして動作する電力線を介してデータを通信する電力線通信回路と、電力線通信回路内において、ネットワーク鍵の値に応じてデータを暗号化又は復号するスクランブル回路と、ＰＬＣネットワークを介してネットワーク鍵の値を通信することなく、第１のストリーミングメディア装置と第２のストリーミングメディア装置間の物理的接続の確立に応じて、複数のストリーミングメディア装置間で共通ネットワーク鍵の値を安全に共有及び保存する手段とを備える。「第１」及び「第２」のストリーミングメディア装置という用語は上記の説明においては簡略化のために任意に割り当てたものであり、本発明の実施が２つの装置に限定されるわけでも、特定の第１と第２の関係に限定されるわけでもない。
【００１４】
第１及び第２のストリーミングメディア装置は、ビデオストリーム、オーディオストリーム又はオーディオ／ビデオストリームの組合せ用に構成されたソース装置、プレーヤ、レコーダ、カメラ及びサーバからなるグループから選択される。第１のストリーミングメディア装置は、ネットワーク鍵（ＮＫ）値を第２のストリーミングメディア装置に供給する管理者モード、又はＰＬＣネットワークを介して通信されてくるストリーミングメディアを暗号化又は復号する際に使用するネットワーク鍵の値を第２のストリーミングメディア装置から受信して保存する申込者モードで動作する。管理者は、ネットワーク鍵の値として共有するために、互換性のある任意の選択値又は所定値を利用してもよい。
【００１５】
好ましい一実施の形態においては、管理者が、他の値を共有するようにとの指示（すなわち、ユーザ又はシステムコマンド）がない場合は、ネットワーク鍵として共有するためにネットワーク鍵のデフォルト値を読み出す。本発明は更に、第１のストリーミングメディア装置と第２のストリーミングメディア装置が共通ネットワーク鍵の値を共有していないことを検出する手段（例えば、ネットワーク鍵の値の妥当性と互換性を検出する比較回路）を有する。一変形例において、装置内でネットワーク鍵を安全に共有する手段も、複数のストリーミングメディア装置間で追加情報を、好ましくは少なくともネットワーク識別子を共有する。
【００１６】
ネットワーク鍵を安全に共有する手段は、直接電力線接続を確立する鍵共有回路と、直接電力線接続を介して共有されるネットワーク鍵の値を保存するメモリと、ＰＬＣネットワーク上の直接電力線接続を越えてＰＬＣデータが通信されないように、ＰＬＣデータをフィルタリングする選択的ＰＬＣデータフィルタとを備え、ネットワーク鍵は、ＰＬＣネットワークを介して配信されることなく、直接電力線接続を介して共有され、直接電力線接続は、ネットワーク鍵が共有された後に切断する。一実施の形態において、選択的ＰＬＣデータフィルタは、直接電力線接続とＰＬＣネットワークへの接続との間の経路に選択的に挿入可能なローパスフィルタからなる。
【００１７】
直接電力線接続は、少なくとも１つの第２のストリーミングメディア装置に接続された第１のストリーミングメディア装置の電源コンセント、又は第１のストリーミングメディアに接続された第２のストリーミングメディアの１つの電源コンセントからなり、電源コンセントは、電力線から動作電力を供給される電源プラグ接続に接続され、選択的電力線通信（ＰＬＣ）フィルタリングは、電源コンセントと電源プラグ接続との間に選択的に接続される。
【００１８】
通信システムは、ネットワーク鍵の値が第１のストリーミングメディアと第２のストリーミングメディアとの間で共有されていることを示す手段を更に有する。例えば、光インジケータ、又は音声通知のような、既存のユーザディスプレイによる通知に依存する任意の代替通知メカニズムを使用することもできる。
【００１９】
本発明の一実施の形態において、電力線（ＰＬＣ）ネットワークを介して、少なくとも１つの第２のストリーミングメディア装置とを通信する第１のストリーミングメディア装置と、第１のストリーミングメディア装置上のマイクロプロセッサと、マイクロプロセッサは、第１のストリーミングメディア装置と第２のストリーミングメディア装置とが第１のストリーミングメディア装置又は第２のストリーミングメディア装置内のそれぞれの電源ソケットを介して何時相互に接続されるのかを判定し、それぞれの電源ソケットと関連するＰＬＣデータフィルタを、登録手続中に起動し、それぞれの電源ソケットを介して通信されるデータがＰＬＣネットワーク上のそれぞれの電源ソケット接続を越えて配信されることを防止し、第１のストリーミングメディア装置と第２のストリーミングメディア装置とが互換ネットワーク鍵によって構成されるように、ＰＬＣネットワーク上のデータの暗号化及び復号を制御するネットワーク鍵を送信及び保存し、ネットワーク鍵を受信した後に、ＰＬＣデータフィルタ動作を停止し、その後の任意の時刻に、それぞれの電源ソケット接続をＰＬＣネットワーク接続に置き換える。
【００２０】
本発明は、電力線通信（ＰＬＣ）ネットワーク上の複数のストリーミングメディア装置間で通信されるストリーミングメディアの暗号化及び復号において用いられるネットワーク鍵を安全に共有するネットワーク鍵共有方法において、第１のストリーミングメディア装置と第２のストリーミングメディア装置との間に直接電源接続を確立するステップと、第１のストリーミングメディア装置が直接電源接続に接続されていることを検出するステップと、第２のストリーミングメディア装置が第１のストリーミングメディア装置と互換性があるネットワーク鍵をまだ用いていないことを判定するステップと、ＰＬＣデータが直接電力線を越えてＰＬＣネットワークに通信されることを阻止するステップと、ネットワーク鍵を第１のストリーミングメディア装置から第２のストリーミングメディア装置に送信し、ＰＬＣネットワークを介する通信において第２のストリーミングメディア装置によって用いられていた前の値を更新するステップとを有し、直接電力線接続は切断され、第１のストリーミングメディア装置は、ＰＬＣネットワーク内に接続されている第２のストリーミングメディア装置に接続される。
【００２１】
本発明の実施形態は、個別又は任意の所望の組合せで実施することができる多数の有益な形態を提供する。発明の形態には以下のものがあるが、必ずしも限定されるわけではない。
【００２２】
本発明の１つの形態は、電力線通信（ＰＬＣ）ネットワークにより接続されたストリーミングメディア装置間における共通ネットワーク鍵を定める装置と方法を提供する。
【００２３】
本発明の他の形態は、ＰＬＣネットワークに接続された他の装置にアクセス可能なネットワークを形成せずに装置間でネットワーク鍵を共有するものである。
【００２４】
本発明の他の形態は、ＰＬＣネットワークを介して通信を行うように構成された各ストリーミングメディア装置への鍵の値の手動入力の必要なしで共通ネットワーク鍵を定めるものである。
【００２５】
本発明の他の形態は、ネットワーク鍵と任意の他の情報（例えば、ネットワークＩＤ子）の共有に介在する第１のメディアストリーミング装置と第２のメディアストリーミング装置の間の直接有線接続を提供するものである。
【００２６】
本発明の他の形態は、ネットワーク鍵を共有すべき装置との直接接続を確立する電源ソケットを介して、ネットワーク鍵と任意の追加情報とを共有するものである。
【００２７】
本発明の他の形態は、共有されるネットワーク鍵が関連のＰＬＣネットワークを介して安全が確保されずに送ることを防止するためにＰＬＣデータフィルタを使用するものである。
【００２８】
本発明の他の形態は、直接接続されたストリーミングメディア装置が既に互換ネットワーク鍵を利用しているかを検出するものである。
【００２９】
本発明の更に他の形態は、あるエンティティが自分のストーミングデータを他のエンティティにより傍受されることなしにネットワークの自家使用部分を利用できるように、ＰＬＣネットワークの各部分に安全を提供するものである。
【００３０】
本発明の更なる幾つかの形態については、本明細書の以下の部分で明らかにするものとし、限定をつけずに本発明の好ましい実施形態を完全に開示する目的で詳細な説明を行う。
【発明を実施するための最良の形態】
【００３１】
図面を具体的に参照すると、説明の目的で、本発明は、図３〜図６に一般的に示された装置において実施されている。ここに開示された基本的概要を逸脱することなく、装置の構成と各部分の詳細を変更できることと、方法の固有のステップと順序が変更できることは明らかである。
【００３２】
本発明は、様々な装置にネットワーク鍵を手動で入力する必要がなく、電力線通信（以下、ＰＬＣともいう）装置、特にストリームメディア装置間でネットワーク鍵を共有するメカニズムを提供する。電力線通信ネットワーク、例えば特定のエンティティ（例えば、家庭、会社等）が保有する装置を介して相互に通信するように構成された全ての装置は、共通の又は少なくとも互換性のあるネットワークＩＤ（以下、ＮＩＤともいう）及びネットワーク鍵（以下、ＮＫともいう）を共有しなければならない。電力線通信ネットワーク自体を介してネットワーク鍵を共有することは、他のエンティティの装置のような対象とした装置以外でネットワーク鍵を受信することができるという問題点があることは、明らかである。したがって、本発明の共有メカニズムは、選択されたストリーミングメディア装置（申込者）とネットワーク鍵を共有している間、ＰＬＣネットワークを介してネットワーク鍵を送ることはない。
【００３３】
本発明は、ソース装置、プレーヤ、レコーダ、カメラ及びサーバを含むストリーミングメディア装置を使用するのに特に適している。これらのストリーミングメディア装置は、ビデオ、オーディオ又はオーディオとビデオの組合せをストリーミングするように構成されている。ビデオ及びオーディオシステムは、ＰＬＣネットワークを介する通信との互換性を有する任意の規格に基づいてフォーマットしてもよい。通常は、これらの装置は、サーバ（例えば、固定された又は取り外し可能なメディア、パーソナルコンピュータ等）、オーディオ／ビデオ装置（例えば、ＤＶＤ装置、カメラ、ビデオモニタ、テレビジョン受信機、オーディオシステム等）を備える。
【００３４】
ネットワーク鍵は、本発明における有線接続、好ましくは電力線通信ネットワークを介して共有される。本発明の好ましい一実施の形態においては、ネットワーク鍵は、第１の電子ストリーミングメディア装置上の電源コンセントと電力を供給するために第２の電子ストリーミングメディア装置から延びる電源プラグとの間に確立された有線接続を介して共有される。通常、ネットワーク鍵を共有する装置は、管理者と呼び、一方、ネットワーク鍵を受信する装置は、申込者と呼ぶ。管理者と申込者の役割は、１つの装置のモード、又は１つ又は両方のモードをサポートする別々の装置のモードからなることは明らかである。
【００３５】
好ましくは、ネットワーク鍵は、電源プラグを電源コンセントに挿入することに応じて共有され、第１のストリーミングメディア装置から転送され、第２のストリーミングメディア装置内に保存される。ネットワーク鍵の転送は、好ましくは、ネットワークＩＤ、装置データ等の追加データを共有することができる登録処理中に行われる。第２のストリーミングメディア装置の電源プラグの接続は、転送を完了するために少なくとも最低限「登録処理中」は維持され、その後に、直接接続を切断することができ、登録された装置を、ネットワークを共有したストリーミングメディア装置が動作自在に接続されている同じＰＬＣネットワークのどの場所にも接続することができる。
【００３６】
電源コードを挿入した後、第１及び／又は第２のストリーミングメディア装置に電力が通ると、又は第１及び／又は第２のストリーミングメディア装置からのユーザの入力に応じて、ネットワーク鍵を自動的に転送することができる。ネットワーク鍵は、好ましくは、安全に伝送し、任意に追加情報と組み合わせることができるネットワークＩＤを供給する鍵共有回路を介して共有される。共有されているネットワーク鍵は、ＰＬＣネットワークを介して登録済み装置間の通信を暗号化及び復号するのに十分な互換性を有するのであれば、管理者のネットワーク鍵と同一である必要はないことも明らかである。
【００３７】
本発明において、以下の要素を加えることにより、ＰＬＣネットワークを介して通信する装置を、ＰＬＣネットワークを介する安全な通信用に設計したり、又は適応させたりすることができる。（１）電子装置と他の複数の電子装置の間で安全に伝送されたネットワーク鍵に応じてデータを暗号化／復号する手段。この暗号化／復号手段は、エンコーダ又は他の形態のスクランブル回路、ソフトウェアドリブン符号化／復号等からなることもできる。（２）電子装置とＰＬＣ通信用に構成された少なくとも１つの他の電子装置との間への専用ネットワーク接続の確立に応じてネットワーク暗号化／復号鍵を共有する手段。専用ネットワーク接続は、管理者装置と申込者装置との間での電源接続の使用に応じて確立することができ、これにより、ＰＬＣネットワークを介して接続された装置との情報の共有が防止される。
【００３８】
図３は、第１のストリーミングメディア装置５２と第２のストリーミングメディア装置５８の間でのネットワーク鍵共有５０を例示したものである。第１のＰＬＣ装置は、電力を追加装置と共有するために、電源プラグ２６と電源コンセント（ソケット）５４の両方を備えて構成されている。ユーザに入力及び／又は出力（Ｉ／Ｏ）を提供する手段が鍵共有メカニズムと関連して備えられている。限定ではなく、例示のために、アナンシエータＩ／Ｏは、光インジケータ５６として示されているが、本発明の説明から逸脱することなく、出力装置及び／又は入力セレクタのあらゆる組合せを利用することができる。
【００３９】
第２のストリーミングメディア装置５８は、第１のストリーミングメディア装置５２と電源プラグ２６を介して接続される。第１のストリーミングメディア装置５２が電源プラグ２６からデータを適切にフィルタリングする場合、第１のストリーミングメディア装置５２の電源コンセント５４と第２のストリーミングメディア装置５８の電源プラグ２６との間で伝送されたデータがＰＬＣネットワークを介して共有されないことは、明らかである。このようにして、ストリーミングメディア装置５２、５８間で伝送されたデータを、他のエンティティがＰＬＣネットワーク上で受信することができない。データ配信に関する上記制限が鍵共有処理の場合に限り一時的に適用される。ネットワーク鍵を第２のストリーミングメディア装置５８、又はコンセント５４を介して断続的に接続することもできる他の装置に送るその能力に鑑みて、第１のストリーミングメディア装置を管理者と呼ぶ。
【００４０】
第１のストリーミングメディア装置５２と関連したエンティティによるＰＬＣ通信を確立する固有のネットワーク暗号化／復号鍵を供給するために、ネットワーク鍵は、第１のストリーミングメディア装置内に確立される。ネットワーク鍵は、不揮発性メモリ（例えば、ＦＬＡＳＨ、ＲＯＭ、ＥＥＰＲＯＭ、論理回路、ヒュージブルトレース）又はネットワーク鍵の値を保持する他の手段のような、第１のストリーミングメディア装置５２内に保持される。一実施の形態においては、マイクロプロセッサは、ネットワーク鍵共有処理及び任意の暗号化／復号処理を制御するためにプログラミングを実行する。ネットワーク鍵及び他のデータは、データメモリ（例えば、ＲＡＭ、レジスタ等）に格納することもでき、一方、プログラミングは、不揮発性メモリ（例えば、ＲＯＭ、ＦＬＡＳＨ等）又はコードを含むメディアからロードされた揮発性メモリに格納することもできる。ネットワーク鍵は、第１のストリーミングメディア装置５２のハードウェア内で符号化された固定値を有し、より好ましくはネットワーク鍵の変更することができるように装置内で選択可能である。第１のストリーミングメディア装置５２は、他の装置、例えば他の管理者からネットワーク鍵を受信し、複数の管理者をＰＬＣネットワーク内で接続することができる。更に、ネットワーク鍵は、デフォルト値としてインストールされたデフォルトネットワーク鍵からコピーされる。更に、本発明の共有形態は、安全なデータを通信する他のメカニズムと組み合わせて利用することができる。
【００４１】
ネットワーク鍵に加えて、他の情報、例えば、管理者の優先度レベル、ネットワーク鍵の使用方法、ネットワーク鍵の変更方法（すなわち、ローリングコード変更実施の説明）等を接続の確立に応じて、第１のストリーミングメディア装置と第２のストリーミングメディア装置との間に送ることもできる。
【００４２】
ＰＬＣネットワークのエンティティを介して使用するために新しい装置を導入するとき、まず新しい装置は、管理者に関連する鍵共有回路に接続される。上述した例において、第２のストリーミングメディア装置からの電源接続は、管理者として動作する装置に備えられた電源コンセントに差し込まれる。管理者は、ＰＬＣ対応装置と接続が確立されたことを認識し、ＰＬＣネットワークの新しい装置の認証及び登録処理を開始する。本発明の一実施例においては、上記の電源接続のような、直接接続でのＰＬＣ対応装置の接続は、直接接続を介して電力の供給し、又は直接接続を介してＰＬＣデータの入力し、又はその組合せの検出に応じて認識することができる。登録処理中に、ネットワーク鍵は新しい装置に送られる。登録処理の完了を指示するために、オーディオ出力又はインジケータ（すなわち、図３の光インジケータ５６）のような信号が好ましくは出力される。信号の発生は、登録処理が完了し、新しい装置が切断され、ＰＬＣネットワークに接続されることを示す。ＰＬＣネットワークは、管理者装置及び既にネットワーク鍵を受信した他の装置と安全に通信する準備ができている。
【００４３】
図４は、図３に示す電源コンセントを介して接続された装置にネットワーク鍵を伝送する回路の簡略図である。管理者である第１のストリーミングメディア装置５２は、電源ブロック６０により電力が取り出される電源プラグ２６を有する。ローパスフィルタ６２は、スイッチＳ１によって、電源接続に選択的に係合するように構成されている。ローパスフィルタは、ＰＬＣネットワークを介して通信するときに使用されるデータ信号をフィルタリング除去、すなわち、ブロックして、電力を送ることができると認識されている。スイッチＳ１は、鍵共有回路においてＰＬＣデータフィルタを起動し、ネットワーク鍵共有を完了し又はネットワーク鍵が共有される登録処理を完了した後にＰＬＣデータフィルタを終了するメカニズムを有する。
【００４４】
スイッチＳ１の状態は、好ましくは、制御回路例えば、バス６６を介してメモリ７０に接続されたＰＬＣ信号発生器６４又はＣＰＵ６８（例えば、マイクロコントローラ、マイクロプロセッサ又は類似の処理装置）によって決定される。第１の位置（Ａ）において、スイッチＳ１は、新たに接続された装置（申込者）が管理者とは異なるネットワークＩＤ（ＮＩＤ）を有するかを管理者に検出させる。異なるネットワークＩＤ（ＮＩＤ）値を検出すると、スイッチＳ１はもう一方の位置（Ｂ）に移り、管理者は、ＰＬＣ信号発生器６４を介してコンセント５４を通って申込者に通知を送る。通知が全ＰＬＣネットワークを介して送出されないことは明らかであり、ネットワーク鍵は安全に保持される。ネットワーク鍵を送るとき、管理者と申込者との間で登録処理が実行され、ネットワークＩＤ値とネットワーク鍵の両方を含む様々な情報を安全に交換することができる。
【００４５】
登録処理が完了すると、スイッチＳ１は第１の位置（Ａ）に戻り、ＰＬＣを介して受信したデータと申込者と通信したデータとの間で、ＰＬＣデータはもはやフィルタリングされない。好ましくは、登録処理が適切に完了すると、幾つかの便利な手段、例えば音声警報、インジケータランプ等で通知される。
【００４６】
図５は、図３及び図４に示す管理者と申込者との間の登録処理の例を説明する。ＰＬＣ装置は、メモリ（すなわち、好ましくは、不揮発性又はリードオンリメモリ）内の一組の公開鍵と秘密鍵を有する。ＰＬＣ装置はまた、好ましくは、ネットワークＩＤ（ＮＩＤ）とネットワーク鍵（ＮＫ）を保持するメモリを有し、一方、管理者は、好ましくは、各管理者固有のデフォルトネットワークＩＤ（ＤＮＩＤ）とデフォルトネットワーク鍵（ＤＮＫ）の値を保持しており、ＤＮＩＤは、好ましくは、ＤＮＫに１対１対応となっている。特定のＰＬＣネットワーク上で動作する所定のエンティティの全てのストリーミングメディア装置は、単一の管理者装置によって、又は同一又は少なくとも互換ネットワーク鍵の値を共有するように既に相互に登録済みである複数の管理者装置を介して登録されなければならない。このようにして、ネットワーク上の全ての装置が互換性のある暗号化と復号を利用することによって相互に適切に通信することができる。
【００４７】
本発明の一実施の形態においては、ＮＩＤ値とＮＫ値は、非管理者装置については無効値に設定されており、これにより、使用前に登録処理を要求する。本発明の好ましい実施形態においては、特定のネットワーク上に未登録の装置とＰＬＣネットワークを介して通信を試みると、ユーザには音声又は視覚キューにより警告が発せられる。本発明の一実施の形態においては、管理者は、ＮＩＣとＮＫの初期値としてＤＮＩＣ値をＤＮＫ値をそれぞれ利用する。
【００４８】
申込者と呼ばれる新しい装置を管理者に接続すると、ＮＩＤを含むメッセージが申込者から送られる。管理者は、ＮＩＤを自身のＮＩＤ値と比較する。値が同一である場合は、申込者は登録済みということになる。ネットワーク鍵（ＮＫ）値を変更する一実施の形態においては、ＮＩＤが一致すると、ＮＫ値が管理者と比較され、管理者のＮＫ値が既に変更されており、申込者装置における更新が必要であるかどうかが判断される。
【００４９】
申込者の登録又は更新が必要な場合は、通知が申込者に返送される。通知に応じて、安全な通信が好ましくは管理者と申込者の間で行われる。例えば、申込者はその公開鍵を管理者に送る。申込者がソケットを介して接続されており、登録適格者であることが前提となる。管理者はＮＫとＮＩＤを公開鍵により暗号化し、対応する秘密鍵を有する申込者に送る。共有されたＮＫはその後ＰＬＣネットワーク上での申込者による通信の暗号化／復号の際に利用される。装置から伝送されたデータを認識することができるのは、ＮＫにより決定されたような暗号化を行った上で送られた場合に限られ、コンテンツをスクランブルを外した形に適正に再構成することができるのは、ＮＫにより定められたように復号を行う装置に限られる。標準公開鍵方法に基づき暗号化データを復号できるのは、対応する秘密鍵を有する申込者に限られる。コンテンツソースのような伝送装置は、ＰＬＣネットワークを介する伝送の前にＮＫを使用してデータを暗号化するように構成されており、一方、出力装置又はレコーダのような受信装置は、コンテンツを復号するためのＮＫを使用するように構成されている。
【００５０】
本発明に係る制御アルゴリズムは、暗号化と復号について別々のＮＫを要求するように構成することができ、したがって、装置がＰＬＣネットワーク内で伝送及び／又は受信を行うことが許容されるかを制御することは明らかである。
【００５１】
図５には、デフォルトネットワーク鍵（ＤＮＫ）フィールド、デフォルトネットワークＩＤ（ＤＮＩＤ）フィールド、公開鍵フィールド、秘密鍵フィールド、装置ＩＤフィールド、ネットワーク鍵（ＮＫ）フィールド、ネットワークＩＤ（ＮＩＤ）フィールド、及び登録済み装置リストフィールドからなるデータ構造７２が管理者装置について示されている。ＰＬＣネットワーク上の各管理装置が好ましくは登録済み装置のリストを含み、その結果、登録済み装置との通信の様々な局面を適正に制御できることは明らかである。好ましくは管理者データのサブセット、特に公開鍵、秘密鍵、装置ＩＤ、ネットワーク鍵（ＮＫ）、及びネットワークＩＤを含む類似のデータセット７４が申込者装置について示されている。上記フィールドは例示のために提示したものにすぎず、これらのフィールドの削除又は変更も可能であり、更に、本発明の説明から逸脱することなく追加のフィールドを加えることができる。
【００５２】
管理者７６と申込者７８との間の対話が、アクティビティとメッセージ受け渡しの例示により示されている。通信処理が転移点１００までは実線で示されており、転移点１０２以降では、管理者７６と申込者７８との間で伝送されるデータはＰＬＣネットワーク全体に配信される。転移点１００と転移点１０２との間に示された点線は、申込者との通信がＰＬＣネットワーク全体に供給されない通信を示している。本発明に係るこれらの「秘密」通信の形態が、管理者７６と申込者７８との間の通信シーケンスに示されている。登録シーケンスが本実施形態により完全であると一般的に考えられるのは、ＮＫが管理者９６から申込者９８に配信され、しかも、管理者７６と申込者７８との間の「秘密」接続を支援するＰＬＣフィルタリングを不起動することができる場合である。
【００５３】
申込者７８は管理者に物理的に接続８０されているが、しかしながら、この接続は秘密接続を介するものであり、傍受されやすいＰＬＣネットワークを介するものではない。例えば、図４に示されたように、申込者からの電源プラグを管理者７６の電源コンセントに差し込むことができる。ＮＫ通信処理は一般的には以下の処理に従って進行する。
【００５４】
ＮＩＤと装置ＩＤが管理者に伝送８２される。管理者はＮＩＤと任意でＮＫを比較し、ブロック８４ごとに登録を行わなければならないかを判定する。登録が必要な場合は、ＰＬＣデータフィルタがブロック８６において起動され、管理者と申込者が、安全なデータがＰＬＣネットワークを介して自由に出て行くのを防止しつつ、直接リンクを介して通信を行うのを可能にする。
【００５５】
通知処理がブロック８８において管理者により開始され、公開鍵がそれに応じてブロック９０において申込者により送られる。管理者は次にＮＩＤとＮＫを秘密鍵により暗号化し、それを通信９２により送り、申込者はデータを秘密鍵により復号し、通信９４ごとにＮＩＤとＮＫを取得する。転移点１００と１０２との間の点線により示された期間については、ＰＬＣネットワークを介してではなく、他の安全な接続を介して、管理者と申込者が通信を行うことは明らかである。登録処理の完了後には、両装置はその秘密接続とＰＬＣネットワークの両方を介してＰＬＣデータの伝送を自由に開始する。
【００５６】
管理者と申込者間の接続は安全であり、データは登録処理中にはフィルタリングされ、したがって、ＰＬＣネットワークを介して自由に伝送されることはないので、管理者と申込者間での登録期間中には、秘密・公開鍵暗号化が全くなしで、ＮＩＤとＮＫを直接伝送することができるのがあまり好ましくないことは明らかである。
【００５７】
本発明の一実施の形態においては、申込者（又は管理者）のコントローラは、ユーザがＮＩＤ及び／又はＮＫ値をデフォルト値に、又はある所望の値にリセットできるように構成されている。例えば、リセットボタンをこの目的のために利用することもできるし、ユーザインタフェースを通じてコマンドを適用することもできる。それに加えて、本発明の各実施形態は、ユーザが所望のＮＩＤ又はＮＫ値を定めたり、新しい申込者装置の構成に際しての所望のＤＮＩＤ又はＤＮＫ値を定めたりできるように構成されている。他の例においては、ユーザが登録又は非登録モードを選択できるようにするＤＩＰスイッチ又はソフトウェアセレクタを備えることもできる。装置が非登録モードで接続されている場合は、管理者は無効なＮＩＤ及び／又はＮＫ値を送り、これにより、申込者装置は使用不能な値にリセットされ、そこで、登録データの必要性がすぐに明らかになる。
【００５８】
特定のエンティティにより制御されるＰＬＣネットワークの部分は、適正なＮＩＤ及びＮＫ値を申込者装置に配信する少なくとも１つの管理者を有していなければならない。しかしながら、一旦装置が登録されると、装置は管理者を必要とせずにＰＬＣネットワークを介して通信できる。通常、管理者機能は、サーバ又は他のコンテンツソース又はチューナ（例えば、コンピュータサーバ、メディアプレーヤ、衛星／有線チューナデスクランブラボックス）等内のような、ネットワーク上のより複雑な装置と関連することになる。特定のＰＬＣネットワーク内で利用可能な管理者の数に上限はないことも認識されたい。
【００５９】
図６は複数管理者の例１１０を示したものである。ＰＬＣ装置１１２、１１４及び１１６は電力線１８に接続されている。ＰＬＣ装置１１６は、ソケット１１８を有する管理者装置である。装置１２０のような追加の管理者を、その入力接続をソケット１１８に接続することにより登録することができる。管理者１２０のソケット１２２へのマスタ管理者１１６の電源プラグ２６が、マスタ管理者のＮＩＤ及びＮＫを、新しい管理者により（すなわち、デフォルト又は別に決定された値により）提供されるＮＩＤ及びＮＫにリセットし、それにより、マスタ管理者１１６の暗号化／復号が変更され、マスタ管理者１１６により登録された装置との通信ができないことは明らかである。この状況を避けるために、マスタ管理者は好ましくはＰＬＣ装置１１２、１１４のＮＩＤ及びＮＫを更新するように構成されている。これを実現するために、マスタ管理者１１６は、自身に登録済みの端末のリストを利用することができる（図５の管理者のメモリ７２内の「登録済み装置リスト」を参照）。マスタ管理者は、リストに記載された各端末に、ＮＩＤ及びＮＤが更新され、その公開鍵が要求されることを示した通知を送る。マスタ管理者はその後に新しいＮＩＤ及びＮＤを公開鍵により暗号化し、自身の秘密鍵により復号を行う各端末に送る。このようにして、新しいＮＩＤ及びＮＤがリストに記載された端末だけに安全に配信される。
【００６０】
上記の各実施形態は多数の効果を提供するが、しかしながら、本発明を本発明の説明から逸脱することなく多数の代替的方法で実施できることも当業者にとっては明らかである。限定のためではなく、実例として、管理者（又はＮＩＤ及びＮＫのソースとしての役割を果たす任意の他の装置）に接続された状態でネットワークＩＤ及びネットワーク鍵を受信するために、リムーバブルネットワーク鍵共有回路を構成することができる。その後に、モジュールは申込者に接続され、申込者はモジュールから新しいＮＩＤ及びＮＫをロードする。一実施の形態においては、モジュールは、ＡＣプラグとＰＬＣネットワーク上のコンセントとの間に差し込まれる装置からなることができる。この装置は、ＮＩＤ及びＮＫを保存するメモリに加えて、上記と類似のフィルタリングメカニズムを含むことができる。このリムーバブル装置は、管理者と申込者との間に直接の物理的電源接続を確立する必要なしで、ＮＩＤ及びＮＫを遠隔の装置に安全に転送することを可能にする。上記は例示のためのものであり、好適度では劣るかもしれないが、十分に本発明の説明の範囲内にあるものである。
【００６１】
上記説明は多くの詳細を含んでいるが、それらを発明の範囲を限定するものではなく、本発明の現在の好ましい実施の形態の幾つかを単に例示するものであると解釈されたい。したがって、本発明の範囲が、当業者には明らかである他の実施形態を完全に包含することと、本発明の範囲を限定するものはその結果として添付の特許請求の範囲以外になく、特許請求の範囲においては、単数の要素への言及は、明示的な指摘がない限りは「唯一」を意味するものではなく、むしろ「１つ以上」を意味するものであることは明らかである。当業者には公知の上記好ましい実施の形態の要素の全ての構造的及び機能的等価物は引用により明示的にここに含まれ、本特許請求の範囲により包含されることになる。また、本特許請求の範囲に包含させるために、１つの装置又は方法が、本発明により解決の試みが行われたあらゆる問題に対処する必要はない。更に、本開示における要素、構成要素又は方法段階は、特許請求の範囲に明示的に列挙されているかの有無にかかわらず、一般人向けを意図したものではない。ある要素が「〜する手段」という用語を用いて明示的に列挙されていない限りは、ここにおける特許請求の範囲の要素は３５Ｕ．Ｓ．Ｃ．１１２第６項の規定による解釈を受けないものとする。
【００６２】
本発明は、説明だけを目的とした以下の図面を参照することにより一層完全に明らかである。
【図面の簡単な説明】
【００６３】
【図１】サーバに接続されたクライアントビデオ装置を示す従来の電力線通信（ＰＬＣ）ネットワークのブロック図。
【図２】電力線通信（ＰＬＣ）ネットワークを介して従来方式でデータを共有するために電力線通信を利用する２つのストリームメディアエンティティのブロック図。
【図３】ネットワーク鍵の共有に介在する電源コンセントの利用を示した、他の電力線装置とのネットワーク鍵の共有に好ましい本発明の一実施の形態に係る電子装置の背面図。
【図４】鍵共有回路に接続されたコンセントに接続された電源コードを有する他の装置とのネットワーク鍵の共有を示した、本発明の一実施の形態に係る鍵共有回路の概略図。
【図５】鍵共有データと登録処理を示した、本発明の一実施の形態に係る鍵共有のデータス鍵と部分フローチャート。
【図６】複数の連動管理者を示した、本発明の一実施の形態に係る複数の管理者の接続性のブロック図。
【図１】
2008511215.tif 000003
【図２】
2008511215.tif 000004
【図３】
2008511215.tif 000005
【図４】
2008511215.tif 000006
【図５】
2008511215.tif 000007
【図６】
2008511215.tif 000008
【国際調査報告】
2008511215.tif 000009